(57)【要約】  コイルと磁気測定素子とを備える磁気センサーであって、コイルを流れる電流による誘導磁界を高精度に測定しうる磁気センサー、およびかかる磁気センサーを備えた電流センサーとして、渦巻き状の第一のコイルおよび第二のコイルならびに磁気測定素子を備え、第一のコイルおよび第二のコイルを流れる電流に基づく誘導磁界を磁気測定素子において測定する磁気センサーであって、磁気測定素子は、磁気センサーの平面視で第一のコイルおよび第二のコイルと重なり、第一のコイルの一部をなす複数の部分コイル線と、第二のコイルの一部をなす複数の部分コイル線とは、少なくとも重複領域において相互に略平行かつ等ピッチであり、磁気測定素子の磁気検出部の重心を通る磁界感度軸は、第一のコイルがその上に位置する第一の平面に平行な平面であって第一の平面からの距離が第一の値ｄ１（単位：μｍ）に設定された磁界感度面内に位置し、第一の値ｄ１、および第一の複数線部のピッチの値ｐ（単位：μｍ）が、下記式（１）で示される関係を満たす磁気センサーが提供される。      ｄ１／ｐ≦１．５      （１）
2016021260.tif 000002
【特許請求の範囲】
【請求項１】
第一のコイル、第二のコイルおよび磁気測定素子を備え、前記第一のコイルおよび前記第二のコイルを流れる電流に基づく誘導磁界を前記磁気測定素子において測定する磁気センサーであって、
前記磁気測定素子は、前記磁気センサーの平面視で前記第一のコイルおよび前記第二のコイルと重なり、
前記第一のコイルおよび前記第二のコイルのコイル線は渦巻き状に巻回され、
前記第一のコイルは、前記渦巻き状のコイル線の一部をなす複数の部分コイル線からなり第一の平面上に位置する第一の複数線部を備え、
前記第二のコイルは、前記渦巻き状のコイル線の一部をなす複数の部分コイル線からなり前記第一の平面に平行な第二の平面上に位置する第二の複数線部を備え、
前記第一の平面における前記第一の複数線部が位置する領域と、前記第二の平面における前記第二の複数線部が位置する領域とは、前記第一の平面での平面視において重複する重複領域を有し、
前記磁気測定素子の磁気検出部は、前記第一の平面の平面視で前記重複領域内に位置するように配置され、
前記第一の複数線部の前記複数の部分コイル線は、少なくとも前記重複領域において、前記第一の平面内で相互に略平行かつ略等ピッチで配置され、
前記第二の複数線部の前記複数の部分コイル線は、少なくとも前記重複領域において、前記第二の平面内で相互に略平行かつ略等ピッチで配置され、
前記第一の複数線部の前記複数の部分コイル線と前記第二の複数線部の前記複数の部分コイル線とは、少なくとも前記重複領域において相互に略平行であり、
前記第一の複数線部の前記複数の部分コイル線のピッチは、前記第二の複数線部の前記複数の部分コイル線のピッチに略等しく、
前記第一の複数線部の前記複数の部分コイル線および前記第二の複数線部の前記複数の部分コイル線は、前記第一の複数線部の前記複数の部分コイル線が備える個別の部分コイル線の中心軸と、前記第二の複数線部の前記複数の部分コイル線が備える個別の部分コイル線の中心軸とが、前記第一の平面での平面視において重複しないように配置され、
前記磁気測定素子の磁気検出部の重心を通る磁界感度軸は、前記第一の平面に平行な平面であって前記第一の平面からの距離が第一の値ｄ１（単位：μｍ）に設定された磁界感度面内に位置し、
前記第一の値ｄ１、および前記第一の複数線部のピッチの値ｐ（単位：μｍ）が、下記式（１）で示される関係を満たすことを特徴とする磁気センサー。
ｄ１／ｐ≦１．５      （１）
【請求項２】
前記第一のコイルと前記第二のコイルとは、測定時に、前記第一の複数線部の前記部分コイル線を流れる電流値と前記第二の複数線部の前記部分コイル線を流れる電流値とが等しくなるように設定されている、請求項１に記載の磁気センサー。
【請求項３】
前記第一のコイルと前記第二のコイルとは直列に接続されている、請求項１または２に記載の磁気センサー。
【請求項４】
前記磁界感度面は、前記第一の平面と前記第二の平面との間に位置する、請求項１から３のいずれか一項に記載の磁気センサー。
【請求項５】
前記第一の平面は、前記磁界感度面と前記第二の平面との間に位置する、請求項１から３のいずれか一項に記載の磁気センサー。
【請求項６】
前記第一の複数線部の前記複数の部分コイル線における任意の１つと、前記第二の複数線部の前記部分コイル線のうち当該任意の１つの部分コイル線に最近位な部分コイル線との、前記第一の平面の平面視における、中心軸間距離ａ（単位：μｍ）、および前記第一の複数線部のピッチの値ｐが、下記式（２）で示される関係を満たす、請求項１から５のいずれか一項に記載の磁気センサー。
０．２≦ａ／ｐ≦０．５      （２）
【請求項７】
前記第一の複数線部の前記複数の部分コイル線のうち、最近位に位置する一組の部分コイル線の、前記第一の平面の平面視における離間距離ｓ（単位：μｍ）、および前記第一の複数線部のピッチの値ｐが、下記式（３）で示される関係を満たす、請求項１から６のいずれか一項に記載の磁気センサー。
ｓ／ｐ≦０．６      （３）
【請求項８】
前記磁気測定素子を少なくとも２つ備え、
前記少なくとも２つの磁気測定素子は、それぞれの前記磁界感度軸が前記磁界感度面内で平行になるように配置され、
最近位に位置する任意の２つの前記磁界感度軸の離間距離の値は、前記第一の複数線部のピッチの値ｐに等しい、請求項１から７のいずれか一項に記載の磁気センサー。
【請求項９】
前記第一の複数線部のピッチの値ｐ、前記第一の値ｄ１、および前記磁界感度面と前記第二の平面との面間距離の値ｄ２（単位：μｍ）が、下記式（４）で示される関係を満たす、請求項１から８のいずれか一項に記載の磁気センサー。
ｄ１／ｐ＋ｄ２／ｐ≦５      （４）
【請求項１０】
前記第一の値ｄ１が５μｍ以下である、請求項１から９のいずれか一項に記載の磁気センサー。
【請求項１１】
前記磁気測定素子は、磁気抵抗効果素子、ホール素子、磁気抵抗素子および磁気インピーダンス素子からなる群から選ばれる１種または２種以上からなる、請求項１から１０のいずれか一項に記載の磁気センサー。
【請求項１２】
請求項１から１１のいずれか一項に記載される磁気センサーを備える電流センサー。
【請求項１３】
前記磁気センサーが備える第一のコイルおよび第二のコイルの少なくとも一方は、測定時に被測定電流が流れるものである、請求項１２に記載の電流センサー。
【請求項１４】
前記磁気センサーが備える第一のコイルおよび第二のコイルの少なくとも一方は、被測定電流による誘導磁界を相殺するキャンセル磁界を発生するフィードバックコイルである、請求項１２または１３に記載の電流センサー。
【発明の詳細な説明】
【技術分野】
【０００１】
本発明は、磁気センサーおよびその磁気センサーを備えた電流センサーに関する。
【背景技術】
【０００２】
コイルおよびコイルに流れる電流による誘導磁界を測定する磁気測定素子を備える磁気センサーは広く使用されており、一例として電流センサーの検出部が挙げられる。【０００３】
磁気センサーが備えるコイルと磁気測定素子との配置関係は、誘導磁界の測定精度や生産しやすさ（製造コスト）に関連するため、様々な検討が行われている。【０００４】
例えば、特許文献１には、感磁素子（磁気測定素子）による磁界変化を検出するコイル部を備え、該コイル部は、平面上に導体を渦巻き状に形成した平面渦巻き導体部分を有しており、前記感磁素子は、前記コイル部の平面渦巻き導体部分の近傍であって且つその巻回中心に対して実質的に偏心した位置に配置されるピックアップコイルを備える磁気センサーが開示されている。かかる磁気センサーでは、コイルが積層構造となった場合であっても、少ないスルーホール数でこれらのスルーホールを介してコイルを連結することができ、生産性に優れているとされている。
【先行技術文献】
【特許文献】
【０００５】
【特許文献１】特開２００１−１９４１８１号公報
【発明の概要】
【発明が解決しようとする課題】
【０００６】
ところで、特許文献１の図５などに示されるように、磁気測定素子は、導体が渦巻き状に配置されたコイルを流れる電流による誘導磁界を検出可能な位置に配置されるが、磁気測定素子の磁気検出部の重心を通る磁界感度軸と、磁気測定素子に最も近位に配置されるコイル（本明細書において「最近位コイル」ともいう。）との距離は、通常、３μｍ以上程度となるように配置されている。これは、上記の距離を３μｍ程度以上とすることにより、コイルを流れる電流による誘導磁界の磁力線の向きと磁界感度軸の向きとを揃えることが容易となり、磁気測定素子における測定値のばらつきが少なくなるためである。【０００７】
ところが、製膜プロセスを組み合わせることにより磁気センサーを製造する場合には、磁界感度軸と最近位コイルとの間を３μｍ程度以上離間させるためにスペーサーとなる層を形成する必要があり、このような層を形成するプロセスは製造コストの増大要因となる。また、最近位コイルから３μｍ程度以上離間した状態にある磁気測定素子の測定安定性を高める（具体的にはＳＮ比の改善が挙げられる。）ためには、磁界感度軸を通過する誘導磁界の強度をある程度高める必要があり、この目的でコイルを流れる電流量を増やす必要があった。コイルを流れる電流量が多くなることは消費電力の増加をもたらす。さらに、コイルから発生するジュール熱量が増加し、この熱が磁気測定素子の測定精度に影響を与える場合があった。【０００８】
このように、最近位コイルと磁界感度軸とを離間させることは、消費電力が増加するという問題を生じるだけでなく、磁気測定素子の測定精度を高めるという当初の目的の達成に対して阻害要因となる可能性がある。【０００９】
本発明は、コイルと磁気測定素子とを備える磁気センサーであって、コイルを流れる電流による誘導磁界を高精度に測定しうる磁気センサー、特に、コイルに対して磁気測定素子が近位に配置された場合であってもコイルを流れる電流による誘導磁界を高精度に測定しうる磁気センサーを提供することを目的とする。また、かかる磁気センサーを備えた電流センサーを提供することも目的とする。
【課題を解決するための手段】
【００１０】
上記の問題の発生を本質的に解決する手段の一つとして、最近位コイルと磁気測定素子の磁界感度軸との距離を、従来よりも近接させることが考えられる。しかしながら、本発明者らが検討したところ、そのように近接させると、最近位コイルを構成する導体（本明細書において「コイル線」という。）のそれぞれを流れる電流による誘導磁界の相互作用の影響が顕在化して、コイル線のピッチを空間周期として発生磁界が周期的に変化することが明らかになった。このため、磁気測定素子の磁界感度軸と最近位コイルを構成する個々のコイル線との配置関係を厳密に制御しないと、磁気測定素子の測定値のばらつきがむしろ大きくなってしまう。【００１１】
この点を踏まえて本発明者らがさらに検討した結果、コイルを積層構造とし、これらのコイルの配置を、磁気感度軸の位置との関係も考慮しつつ調整して、個々のコイル線を流れる電流による誘導磁界の相互作用を適切に制御することにより、上記課題を解決しうるとの新たな知見を得た。【００１２】
以上の新たな知見に基づき提供される本発明の一態様は、第一のコイル、第二のコイルおよび磁気測定素子を備え、前記第一のコイルおよび前記第二のコイルを流れる電流に基づく誘導磁界を前記磁気測定素子において測定する磁気センサーであって、前記磁気測定素子は、前記磁気センサーの平面視で前記第一のコイルおよび前記第二のコイルと重なり、前記第一のコイルおよび前記第二のコイルのコイル線は渦巻き状に巻回され、前記第一のコイルは、前記渦巻き状のコイル線の一部をなす複数の部分コイル線からなり第一の平面上に位置する第一の複数線部を備え、前記第二のコイルは、前記渦巻き状のコイル線の一部をなす複数の部分コイル線からなり前記第一の平面に平行な第二の平面上に位置する第二の複数線部を備え、前記第一の平面における前記第一の複数線部が位置する領域と、前記第二の平面における前記第二の複数線部が位置する領域とは、前記第一の平面での平面視において重複する重複領域を有し、前記磁気測定素子の磁気検出部は、前記第一の平面の平面視で前記重複領域内に位置するように配置され、前記第一の複数線部の前記複数の部分コイル線は、少なくとも前記重複領域において、前記第一の平面内で相互に略平行かつ略等ピッチで配置され、前記第二の複数線部の前記複数の部分コイル線は、少なくとも前記重複領域において、前記第二の平面内で相互に略平行かつ略等ピッチで配置され、前記第一の複数線部の前記複数の部分コイル線と前記第二の複数線部の前記複数の部分コイル線とは、少なくとも前記重複領域において相互に略平行であり、前記第一の複数線部の前記複数の部分コイル線のピッチは、前記第二の複数線部の前記複数の部分コイル線のピッチに略等しく、前記第一の複数線部の前記複数の部分コイル線および前記第二の複数線部の前記複数の部分コイル線は、前記第一の複数線部の前記複数の部分コイル線が備える個別の部分コイル線の中心軸と、前記第二の複数線部の前記複数の部分コイル線が備える個別の部分コイル線の中心軸とが、前記第一の平面での平面視において重複しないように配置され、前記磁気測定素子の磁気検出部の重心を通る磁界感度軸は、前記第一の平面に平行な平面であって前記第一の平面からの距離が第一の値ｄ１（単位：μｍ）に設定された磁界感度面内に位置し、前記第一の値ｄ１、および前記第一の複数線部のピッチの値ｐ（単位：μｍ）が、下記式（１）で示される関係を満たす磁気センサーである。
ｄ１／ｐ≦１．５      （１）【００１３】
上記の磁気センサーは、次の特徴の少なくとも一つをさらに備えていてもよい。【００１４】
・前記第一のコイルと前記第二のコイルとは、測定時に、前記第一の複数線部の前記部分コイル線を流れる電流値と前記第二の複数線部の前記部分コイル線を流れる電流値とが等しくなるように設定されている。
・前記第一のコイルと前記第二のコイルとは直列に接続されている。
・前記磁界感度面は、前記第一の平面と前記第二の平面との間に位置する。
・前記第一の平面は、前記磁界感度面と前記第二の平面との間に位置する。
・前記第一の複数線部の前記複数の部分コイル線における任意の１つと、前記第二の複数線部の前記部分コイル線のうち当該任意の１つの部分コイル線に最近位な部分コイル線との、前記第一の平面の平面視における、中心軸間距離ａ（単位：μｍ）、および前記第一の複数線部のピッチの値ｐが、下記式（２）で示される関係を満たす。
０．２≦ａ／ｐ≦０．５      （２）
・前記第一の複数線部の前記複数の部分コイル線のうち、最近位に位置する一組の部分コイル線の、前記第一の平面の平面視における離間距離ｓ（単位：μｍ）、および前記第一の複数線部のピッチの値ｐが、下記式（３）で示される関係を満たす。
ｓ／ｐ≦０．６      （３）
・前記磁気測定素子を少なくとも２つ備え、前記少なくとも２つの磁気測定素子は、それぞれの前記磁界感度軸が前記磁界感度面内で平行になるように配置され、最近位に位置する任意の２つの前記磁界感度軸の離間距離の値は、前記第一の複数線部のピッチの値ｐに等しい。
・前記第一の複数線部のピッチの値ｐ、前記第一の値ｄ１、および前記磁界感度面と前記第二の平面との面間距離の値ｄ２（単位：μｍ）が、下記式（４）で示される関係を満たす。
ｄ１／ｐ＋ｄ２／ｐ≦５      （４）
・前記第一の値ｄ１が５μｍ以下である。
・前記磁気測定素子は、磁気抵抗効果素子、ホール素子、磁気抵抗素子および磁気インピーダンス素子からなる群から選ばれる１種または２種以上からなる。【００１５】
本発明の他の一態様は、上記の磁気センサーを備える電流センサーである。【００１６】
上記の電流センサーは、前記磁気センサーが備える第一のコイルおよび第二のコイルの少なくとも一方が、測定時に被測定電流が流れるものであってもよい。【００１７】
上記の電流センサーは、前記磁気センサーが備える第一のコイルおよび第二のコイルの少なくとも一方が、被測定電流による誘導磁界を相殺するキャンセル磁界を発生するフィードバックコイルであってもよい。
【発明の効果】
【００１８】
本発明によれば、コイルを流れる電流による誘導磁界を高精度に測定しうる磁気センサー、特に、コイルに対して磁気測定素子が近位に配置された場合であってもコイルを流れる電流による誘導磁界を高精度に測定しうる磁気センサーが提供される。また、かかる磁気センサーを備えた電流センサーも提供される。
【図面の簡単な説明】
【００１９】
【図１】本発明の一実施形態に係る磁気センサーを概念的に示す平面図である。
【図２】図１におけるＸ−Ｘ断面を概念的に示す図である。
【図３】図２におけるＹ−Ｙ断面を概念的に示す図である。
【図４】図１に示される磁気センサーが備える、第一の複数線部が備える部分コイル線、第二の複数線部が備える部分コイル線および磁気感度面の位置関係を説明するための概念図である。
【図５】コイルを１つ備える磁気センサーの磁界感度面Ｐ３に発生する磁界をシミュレーションした結果を示すグラフである。
【図６】本発明の一実施形態に係る磁気センサーの磁界感度面Ｐ３に発生する磁界をシミュレーションした結果を示すグラフである。
【図７】本発明の別の一実施形態に係る磁気センサーを概念的に示す断面図である。
【図８】本発明の別の一実施形態に係る磁気センサーの磁界感度面Ｐ３に発生する磁界をシミュレーションした結果を示すグラフである。
【図９】本発明の実施形態でない対比用の一例に係る磁気センサーの磁界感度面Ｐ３に発生する磁界をシミュレーションした結果を示すグラフである。
【図１０】本発明の実施形態でない対比用の別の一例に係る磁気センサーの磁界感度面Ｐ３に発生する磁界をシミュレーションした結果を示すグラフである。
【図１１】本発明のさらに別の一実施形態に係る磁気センサーについて、磁界感度面Ｐ３に発生する磁界の振幅比率のｄ１／ｐ依存性をシミュレーションした結果を示すグラフである。
【図１２】本発明のさらにまた別の一実施形態に係る磁気センサーについて、磁界感度面Ｐ３に発生する磁界の振幅比率のａ／ｐ依存性をシミュレーションした結果を示すグラフである。
【図１３】本発明の別の一実施形態に係る磁気センサーであって、最近位に位置する一組の部分コイル線の位置関係を変化させたものの磁界感度面Ｐ３に発生する磁界をシミュレーションした結果を示すグラフであり、実線はｓ／ｐが０．３３の場合であり、太い破線はｓ／ｐが０．５の場合であり、細い破線はｓ／ｐが０．６７の場合である。
【図１４】本発明の別の一実施形態に係る磁気センサーについて、磁界感度面Ｐ３に発生する磁界の振幅比率のｓ／ｐ依存性をシミュレーションした結果を示すグラフである。
【図１５】本発明の一実施形態に係る磁気比例式電流センサーの構成を示す回路図である。
【図１６】本発明の一実施形態に係る電流センサーが備えるブリッジ回路の構成を示す図である。
【図１７】本発明の一実施形態に係る磁気平衡式電流センサーの構成を示す回路図である。
【発明を実施するための形態】
【００２０】
以下、本発明の実施形態について説明する。
【００２１】
１．磁気センサー
図１は、本発明の一実施形態に係る磁気センサーを概念的に示す平面図である。図２は、図１におけるＸ−Ｘ断面を概念的に示す図であり、図３は、図２におけるＹ−Ｙ断面を概念的に示す図である。
【００２２】
本発明の一実施形態に係る磁気センサー１０は、第一のコイル１１、第二のコイル１２および２つの磁気測定素子１３１，１３２を備える。磁気センサー１０は、第一のコイル１１および第二のコイル１２を流れる電流に基づく誘導磁界を磁気測定素子１３１，１３２において測定するものである。図２に示されるように、本実施形態に係る磁気センサー１０は、磁気測定素子１３１，１３２により近位な位置に第一のコイル１１が配置され、より遠位な位置に第二のコイル１２が配置されている。また、図１〜３から理解されるように、磁気測定素子１３１，１３２は、磁気センサー１０の平面視で第一のコイル１１および第二のコイル１２と重なっている。
【００２３】
第一のコイル１１および第二のコイル１２のコイル線は渦巻き状に巻回されている。第一のコイル１１は、渦巻き状のコイル線の一部をなす複数の部分コイル線からなり第一の平面Ｐ１上に位置する第一の複数線部を備える。第一の複数線部を構成する複数の部分コイル線は、渦巻き状のコイルの一部であるから、直列に接続されている。本明細書において、第一の平面Ｐ１は、磁気測定素子１３１，１３２に最も近位なコイル（最近位コイル）に係る平面である。図２，３に示される磁気センサー１０では、第一のコイルの第一の複数線部は３本の部分コイル線１１１，１１２，１１３を備える。図２，３に示されるように、本実施形態に係る磁気センサー１０では、第一のコイル１１全体が第一の平面Ｐ１上に形成されている。
【００２４】
第二のコイル１２は、渦巻き状のコイル線の一部をなす複数の部分コイル線からなり、第一の平面Ｐ１に平行な第二の平面Ｐ２上に位置する第二の複数線部を備える。第二の複数線部を構成する複数の部分コイル線は、渦巻き状のコイルの一部であるから、直列に接続されている。図１，２に示されるように、本実施形態に係る磁気センサー１０では、第二のコイルの第二の複数線部は３本の部分コイル線１２１，１２２，１２３を備える。図１，２に示されるように、本実施形態に係る磁気センサー１０は、第二のコイル１２全体が第二の平面Ｐ２上に形成されている。
【００２５】
第一の平面Ｐ１における第一の複数線部が形成された領域１１Ａと、第二の平面Ｐ２における第二の複数線部が形成された領域１２Ａとは、第一の平面Ｐ１の平面視で重複する重複領域を有する。そして、図２に示されるように、本実施形態に係る磁気センサー１０では、２つの磁気測定素子１３１，１３２の磁気検出部は、第一の平面Ｐ１の平面視で上記の領域１１Ａと領域１２Ａとの重複領域内に位置するように配置されている。なお、本明細書において、本実施形態に係る磁気センサー１０の磁気測定素子１３１，１３２の磁気検出部の重心の位置は、磁気測定素子１３１，１３２の重心の位置と同じである。
【００２６】
第一の複数線部が備える複数の部分コイル線１１１，１１２，１１３は、少なくとも重複領域において、第一の平面Ｐ１内で相互に略平行かつ略等ピッチで配置されている。第二の複数線部が備える複数の部分コイル線１２１，１２２，１２３は、少なくとも重複領域において、第二の平面Ｐ２内で相互に略平行かつ略等ピッチで配置されている。第一のコイル１１が備える第一の複数線部の複数の部分コイル線１１１，１１２，１１３と、第二のコイル１２が備える第二の複数線部の複数の部分コイル線１２１，１２２，１２３とは、少なくとも重複領域において、相互に略平行となるように配置されている。
【００２７】
また、第一のコイル１１が備える第一の複数線部の複数の部分コイル線１１１，１１２，１１３のピッチは、第二のコイル１２が備える第二の複数線部の複数の部分コイル線１２１，１２２，１２３のピッチに略等しくなるように設定されている。
【００２８】
第一のコイル１１が備える第一の複数線部の複数の部分コイル線１１１，１１２，１１３および第二のコイル１２が備える第二の複数線部の複数の部分コイル線１２１，１２２，１２３は、第一の複数線部の複数の部分コイル線１１１，１１２，１１３の個別の部分コイル線の中心軸と、第二の複数線部の複数の部分コイル線１２１，１２２，１２３の個別の部分コイル線の中心軸とが、第一の平面Ｐ１での平面視において重複しないように配置されている。
【００２９】
このような配置とすることにより、後述するように、部分コイル線１１１，１１２，１１３を流れる電流による誘導磁界および部分コイル線１２１，１２２，１２３を流れる電流による誘導磁界が適切に相互作用して、第一の平面Ｐ１に近位に配置された磁気測定素子１３１，１３２の測定精度を低下させる要因である、発生磁界の周期的な変化の振幅を低減させることができる。
【００３０】
図２に示されるように、本実施形態に係る磁気センサー１０の磁気測定素子１３１，１３２の磁気検出部の重心を通る磁界感度軸は、第一の平面Ｐ１に平行な平面であって第一の平面Ｐ１からの距離が第一の値ｄ１（単位：μｍ）に設定された磁界感度面Ｐ３内に位置する。
【００３１】
ここで、図４を参照しつつ、第一の複数線部の部分コイル線１１１，１１２，１１３と磁界感度面Ｐ３との位置関係を説明する。図４は、図１における第一の複数線部が備える部分コイル線、第二の複数線部が備える部分コイル線および磁気感度面の位置関係を説明するための概念図である。説明を容易にするために、磁気測定素子などの表示を割愛している。
【００３２】
本発明の一実施形態に係る磁気センサー１０は、図４に示されるように、上記の第一の平面Ｐ１と磁界感度面Ｐ３との面間距離である第一の値ｄ１、および第一のコイル１１が備える第一の複数線部の部分コイル線１１１，１１２，１１３のピッチの値ｐ（単位：μｍ）は、下記式（１）で示される関係を満たす。
ｄ１／ｐ≦１．５      （１）
【００３３】
上記式（１）で示される関係を満たす場合には、第一のコイル１１が備える第一の複数線部の部分コイル線１１１，１１２，１１３を流れる電流による誘導磁界の相互作用の影響が、磁界感度面Ｐ３上で顕在化しやすい。
【００３４】
この点に関し、磁界感度面Ｐ３に発生する磁界をシミュレーションした結果を以下に示す。
【００３５】
まず、本実施形態に係る磁気センサー１０と同様の構造を有するが、第二のコイル１２を有しない場合、つまり、平面渦巻き型のコイルが１つだけ存在する場合に、磁界感度面Ｐ３上に発生する磁界の強度をシミュレーションした結果を図５に示す。
【００３６】
なお、シミュレーションは、ＡＮＳＹＳ社製「Ｍａｘｗｅｌｌ」を用いて行われた。シミュレーションの前提条件は次のとおりである。コイルが備える複数線部を構成する複数の部分コイル線は、磁界感度面Ｐ３の平面視（コイルに係る平面の平面視に実質的に等しい。）で、ピッチの値ｐが３μｍとした。具体的には、１．５μｍ幅の部分コイル線が、１．５μｍの離間距離で配置されているとした。また、第一の値ｄ１は、０．５μｍとした。したがって、ｄ１／ｐは０．１７程度であった。コイルを構成するコイル線は全て（コイルが２つある場合にはいずれのコイルについても）同じ方向に１０ｍＡの電流が流れるものとした。
【００３７】
図５に示されるように、部分コイル線のピッチを周期とする発生磁界の周期的な変化が確認された。発生磁界の振幅は０．４ｍＴ程度であり、発生磁界の平均値が２ｍＴ程度であるから、発生磁界の振幅の平均値に対する百分率（本明細書において「振幅比率」ともいう。）は２０％程度となった。このように発生磁界が変化していると、磁界感度面Ｐ３内のどの位置に磁気測定素子の磁気検出部の磁界感度軸が位置するかによって、具体的には、部分コイル線に対する磁気検出部の重心の相対位置によって、測定値が大きく変化することになる。換言すれば、コイルを流れる電流により発生した磁界の空間的な変動が著しいため、磁界感度軸の位置の変化が、発生磁界の磁力線の向きと磁界感度軸とのずれ量に大きな影響を与えてしまう。したがって、コイルを流れる電流による誘導磁界を高精度に測定しようとすれば、磁気測定素子の磁気検出部とコイルとの相対位置を厳密に制御することが必要となる。したがって、上記の構成の磁気センサーで高精度の測定を実現するためには、製造コストの上昇は避けられない。
【００３８】
次に、図１から３に示される本実施形態に係る磁気センサー１０の構造を備える場合について、シミュレーションを行った。この場合には、第二の平面Ｐ２と磁界感度面Ｐ３との面間距離は１．０μｍとした。
【００３９】
シミュレーション結果を図６に示す。図６に示されるように、部分コイル線のピッチを周期とする発生磁界の変化の振幅は、図５の場合に比べて十分に抑制された。発生磁界の振幅は０．３ｍＴ程度となり、発生磁界の平均値が４ｍＴ程度であるから、振幅比率は７％となった。この振幅比率を図５の場合と対比すれば、振幅比率を１／３程度に低減させることが実現されている。このように、本実施形態に係る磁気センサー１０は、磁界感度面Ｐ３と最近位コイルとの距離が近づいた場合であっても、個々の部分コイル線を流れる電流による誘導磁界の相互作用に基づく発生磁界の変化が抑制されており、磁気測定素子の磁気検出部とコイルとの相対位置を厳密に制御することなく、コイルを流れる電流による誘導磁界を高精度に測定することが容易となる。
【００４０】
続いて、図７に示される磁気センサー２０のような断面構造を有する場合、すなわち、下層側から、第二の平面Ｐ２、磁界感度面Ｐ３、第一の平面Ｐ１の順番に配置される構造の場合であって、磁界感度面Ｐ３と第一の平面Ｐ１との面間距離の値である第一の値ｄ１および磁界感度面Ｐ３と第二の平面Ｐ２との面間距離の値ｄ２が、いずれも０．５μｍである場合のシミュレーション結果を図８に示す。
【００４１】
図８に示されるように、部分コイル線のピッチを周期とする発生磁界の変化の振幅は、図５の場合に比べて十分に抑制された。発生磁界の振幅は０．１ｍＴ程度となり、発生磁界の平均値が４ｍＴ程度であるから、振幅比率は２．５％となった。この振幅比率を図５の場合と対比すれば、変化率を１／７程度に低減させることが実現されている。このように、本実施形態に係る磁気センサー１０は、磁界感度面Ｐ３と最近位コイルとの距離が近づいた場合であっても、個々のコイルを流れる電流による誘導磁界の相互作用に基づく発生磁界の変化が抑制されており、磁気測定素子の磁気検出部とコイルとの相対位置を厳密に制御することなく、コイルを流れる電流による誘導磁界を高精度に測定することが容易となる。
【００４２】
対比のために、本実施形態に係る磁気センサー１０，２０のように、基本構造（ピッチなど）が共通し、互いに平行な部分コイル線からなる複数線部を有するコイルを２つ有するが、第一の平面Ｐ１の平面視で、個別の部分コイル線が重複する場合についても、シミュレーションを行った。
【００４３】
シミュレーション結果を図９および１０に示す。磁界感度面Ｐ３、第一の平面Ｐ１、第二の平面Ｐ２の順番に配置される構造の場合には、図９に示されるように、部分コイル線のピッチを周期とする発生磁界の変化の振幅は０．５ｍＴ程度となった。発生磁界の平均値が４ｍＴ程度であるから、振幅比率は１３％程度となった。第二の平面Ｐ２、磁界感度面Ｐ３、第一の平面Ｐ１の順番に配置される構造の場合には、図１０に示されるように、部分コイル線のピッチを周期とする発生磁界の変化の振幅は０．７５ｍＴ程度にまで増大した。発生磁界の平均値が４ｍＴ程度であるから、振幅比率は１８％となった。
【００４４】
このように発生磁界が大きく変化している場合には、磁気測定素子の磁気検出部の磁界感度軸が磁界感度面内のどの位置に位置するかによって、具体的には、部分コイル線に対する磁気検出部の重心の相対位置によって、測定値が大きく変化することになる。
【００４５】
図１１は、次の条件で、ｄ１／ｐを変化させた場合の振幅比率がどのように変化するかをシミュレーションした結果である。
基本構造：図７に示される構造
ｐ（ピッチ）：３μｍ
変数：ｄ１
【００４６】
本実施形態に係る磁気センサー１０，２０における、第一のコイル１１が備える第一の複数線部の部分コイル線１１１，１１２，１１３を流れる電流値と、第二のコイル１２が備える第二の複数線部の部分コイル線１２１，１２２，１２３を流れる電流値との関係は限定されない。上記のシミュレーションでは、２つのコイルの電流値が等しくなるように設定して計算した。このように、両者の電流値が等しいことにより、設計上（計算が容易になる）、製造上（同一のマスクを利用できる）有利となる場合もある。
【００４７】
限定されない一例として、図１から３に示される磁気センサー１０では、第一のコイル１１と第二のコイル１２とは直列に接続される。図１中の端子１０２Ａと図３中の端子１０２Ｂとは、図示されないスルーホールを介して電気的に接続され、図１中の端子１０１および図３中の端子１０３が２つのコイル１１，１２からなる電気素子の電気的端部となっている。このような構成の場合には、第一のコイル１１に流れる電流と第二のコイル１２に流れる電流とを等しくすることが容易となる。
【００４８】
本実施形態に係る磁気センサーは、第一の平面Ｐ１が磁界感度面Ｐ３に最近位のコイルに係る面である限り、第一の平面Ｐ１、第二の平面Ｐ２および磁界感度面Ｐ３の位置関係は限定されない。図２に示される磁気センサー１０のように、第一の平面Ｐ１は、磁界感度面Ｐ３と第二の平面Ｐ２との間に位置してもよいし、図７に示される磁気センサー２０のように、磁界感度面Ｐ３は、第一の平面Ｐ１と第二の平面Ｐ２との間に位置してもよい。
【００４９】
以下、本実施形態に係る磁気センサーの好ましい形態について説明する。以下の説明は、図２に示される磁気センサー１０および図７に示される磁気センサー２０の双方について該当するため、符号の記載を省略する。
【００５０】
前述のように、本実施形態に係る磁気センサーは、第一のコイルが備える第一の複数線部の複数の部分コイル線および第二のコイルが備える第二の複数線部の複数の部分コイル線が、第一の複数線部の複数の部分コイル線が備える個別の部分コイル線の中心軸と、第二の複数線部の複数の部分コイル線が備える個別の部分コイル線の中心軸とが、第一の平面での平面視において重複しないように配置されるところ、これらの中心軸の第一の平面の平面視におけるずれの程度は限定されない。
【００５１】
第一の複数線部の複数の部分コイル線における任意の１つと、第二の複数線部の部分コイル線のうちこの任意の１つの部分コイル線に最近位な第二の複数線部の部分コイル線との、第一の平面の平面視における、中心軸間距離ａ（単位：μｍ、図４参照）および第一の複数線部のピッチの値ｐが、下記式（２）で示される関係を満たすことが好ましい。
０．２≦ａ／ｐ≦０．５      （２）
【００５２】
上記のように定義すると、ａ／ｐの値は、０．５が上限となる。ａ／ｐの値が０．５のとき、第一平面の平面視において、第一のコイルが備える第一の複数線部における最近位の２本の部分コイル線の中間に第二のコイルが備える第二の複数線部の部分コイル線が位置することになる。図１２に示されるように、ａ／ｐの値が０．２以上の場合には、第一のコイルに係る部分コイル線を流れる電流による誘導磁界と第二のコイルに係る部分コイル線を流れる電流による誘導磁界との相互作用が、磁界感度面での発生磁界の振幅を低減させるように働きやすくなる。磁界感度面での発生磁界の振幅をより安定的に低減させる観点から、ａ／ｐの値は、０．３以上であることが好ましく、０．３５以上であることがより好ましい。なお、図１２に示されるグラフは、次の条件でａ／ｐを変化させるシミュレーションを行った結果である。
基本構造：図７に示される構造
ｐ（ピッチ）：３μｍ
部分コイル線の幅：１．５μｍ
ｄ１（第一の値）：０．５μｍ
ｄ２（磁界感度面Ｐ３と第二の平面Ｐ２との面間距離の値）：０．５μｍ
コイル電流：１０ｍＡ
【００５３】
本実施形態に係る磁気センサーは磁気測定素子を２つ以上備えていてもよい。この場合において、これらの２つ以上の磁気測定素子は、それぞれの磁界感度軸が、磁界感度面内で平行になるように配置され、最近位に位置する任意の２つの磁界感度軸の離間距離の値は、第一の複数線部のピッチの値ｐに等しいことが好ましい。前述のように、コイルの複数線部が備える複数の部分コイル線を流れる電流による誘導磁界の相互作用により生じる発生磁界の変化の周期は、複数線部のピッチに等しいため、最近位に位置する２つの磁気測定素子の磁界感度軸の離間距離も上記のピッチに等しいことが、２つ以上の磁気測定素子の測定値のばらつきを低減させる観点から好ましい。
【００５４】
第一の複数線部の複数の部分コイル線のうち、最近位に位置する一組の部分コイル線の、第一の平面の平面視における離間距離ｓ（単位：μｍ、図４参照）、および第一の複数線部のピッチの値ｐが、下記式（３）で示される関係を満たすことが好ましい。
ｓ／ｐ≦０．６      （３）
この関係は、部分コイル線の第一の平面の平面視における線幅ｗ（単位：μｍ）を用いると、ｗ／ｐ≧０．４となる。また、第二の複数線部の複数の部分コイル線のうち、最近位に位置する一組の部分コイル線の、第二の平面の平面視（第一の平面の平面視に等しい。）における離間距離ｓ’（単位：μｍ）、および第二の複数線部のピッチの値ｐ’（第一の複数線部のピッチの値ｐに等しい。）とが、ｓ’／ｐ’≦０．６の関係を満たすことが好ましい。
【００５５】
上記式（３）に係る関係を確認するために、次の条件でｓ／ｐおよびｓ’／ｐ’を変化させるシミュレーションを行った結果である。
基本構造：図７に示される構造
ｐ（ピッチ）：３μｍ（したがって、ｐ’：３μｍ）
部分コイル線の幅ｗ：１μｍ、１．５μｍ、２μｍ
（したがって、離間距離ｓ：２μｍ、１．５μｍ、１μｍ）
ｄ１（第一の値）：０．５μｍ
ｄ２（磁界感度面Ｐ３と第二の平面Ｐ２との面間距離の値）：０．５μｍ
コイル電流：１０ｍＡ
ｓ’＝ｓ（したがって、ｓ’／ｐ’＝ｓ／ｐ）
【００５６】
離間距離ｓの変化に伴って、最近位に位置する一組の部分コイル線による誘導磁界の相互作用の程度も変化する。それゆえ、図１３に示されるように、ｓ／ｐが小さくなると発生磁界の振幅が小さくなって、振幅比率も低くなる。図１３において、実線はｓ／ｐが０．３３の場合であり、太い破線はｓ／ｐが０．５の場合であり、細い破線はｓ／ｐが０．６７の場合である。ここで、図１４に示されるように、ｓ／ｐが０．５の場合とｓ／ｐが０．３３の場合とでは、振幅比率に大差はない。したがって、離間距離ｓを狭めることによりもたらされる振幅比率の低下という効果を享受する観点からは、ｓ／ｐを０．６以下とすれば十分である。また、離間距離ｓを過度に狭めようとすると、磁気センサーの製造過程における離間距離ｓの制御性が低下して、磁気センサーの生産性が低下する場合もある。したがって、ｓ／ｐおよびｓ’／ｐ’は０．４以上０．６以下とすることが好ましく、０．４以上０．５以下とすることがより好ましい。
【００５７】
コイルの複数線部のピッチの値ｐ、磁界感度面と第一の平面との面間距離である第一の値ｄ１、および磁界感度面と第二の平面との面間距離の値ｄ２（単位：μｍ、図４参照）が、下記式（４）で示される関係を満たすことが好ましい。
ｄ１／ｐ＋ｄ２／ｐ≦５      （４）
【００５８】
このｄ１／ｐ＋ｄ２／ｐの値が小さいほど、２つのコイルが備える複数線部の部分コイル線を流れる電流による誘導磁界の相互作用が、磁界感度面での発生磁界の変化の振幅を低減させるように働きやすくなる。磁界感度面での発生磁界の変化の振幅をより安定的に低減させる観点から、ｄ１／ｐ＋ｄ２／ｐの値は、４以下であることが好ましく、３以下であることがより好ましい。
【００５９】
本実施形態に係る磁気センサーの具体的な大きさは限定されない。磁気センサーが備える磁気測定素子の種類や、磁気センサーの用途に応じて適宜設定される。前述のように、磁界感度面と第一の平面との面間距離である第一の値ｄ１が３μｍ以上となると、第一の平面に位置するコイルの複数線部のピッチに対応して発生磁界が周期的に変化する現象が顕在化しにくくなるため、本発明の効果をより安定的に享受する観点から、磁気センサーは、第一の値ｄ１が、５μｍ以下となる大きさであることが好ましく、３μｍ以下となる大きさであることがより好ましく、２μｍ以下となる大きさであることが特に好ましい。
【００６０】
本実施形態に係る磁気センサーが備える磁気測定素子の種類は限定されない。磁気測定素子の限定されない例示として、磁気抵抗効果素子、ホール素子、磁気抵抗素子および磁気インピーダンス素子が挙げられる。本実施形態に係る磁気センサーが複数の磁気測定素子を備える場合において、これらの磁気測定素子の種類は統一されていることが好ましいが、異なっていてもよい。
【００６１】
３．磁気センサーの製造方法
本実施形態に係る磁気センサーの製造方法は限定されない。スパッタリング、めっき、エッチング、スピンコーティングなどのドライプロセスやウエットプロセスに係る要素技術を組み合わせた微細加工技術により製造してもよいし、個別に製造した要素（コイル、磁気測定素子など）を、はんだや接着剤などを用いて組み付けることにより製造してもよい。
【００６２】
磁気測定素子が磁気抵抗効果素子のようにドライプロセスにより製造できる場合には、ドライプロセスの要素技術をさらに組み合わせて磁気センサーを製造すれば、製造効率が高まることがある。
【００６３】
そのような製造方法の限定されない一例は次のとおりである。まず、酸化膜付きシリコンなどからなる基板上に、磁気抵抗効果素子からなる磁気測定素子を作製し、これを覆うように、所定の透磁率を有する絶縁材料（ＳｉＯ２，Ａｌ２Ｏ３など）を積層する。この絶縁材料からなる面を第一の平面として、スパッタ、蒸着、めっきなどにより導電材料（Ｃｕ，Ａｌなど）を製膜して、当該面上に第一のコイルを形成する。このとき形成した絶縁材料の層の厚さにより、磁界感度面と第一の平面との面間距離の値ｄ１が決定される。
【００６４】
続いて、第一のコイルを覆うように、所定の透磁率を有する絶縁材料を積層する。この絶縁材料からなる面を第二の平面として、スパッタ、蒸着などの製膜技術を用いて、当該面上に第二のコイルを形成する。このとき形成した絶縁材料の層の厚さにより、磁界感度面と第二の平面との面間距離の値ｄ２が決定される。なお、第一のコイルおよび第二のコイルを形成する際に、または第二のコイルを形成した後に、スルーホール加工を行って、第一のコイルと第二のコイルとを電気的に接続する。最後に、第二のコイルを保護する適当な絶縁材料を積層することにより、図１に示される積層構造を有する磁気センサーを製造することができる。
【００６５】
図７に示される積層構造を有する磁気センサーを製造する場合には、基板上に最初に第二のコイルを形成し、その後、絶縁材料の積層により磁界感度面を画成し、その後、磁気測定素子および第一のコイルを順次、上記のように形成すればよい。
【００６６】
４．電流センサー
本実施形態に係る磁気センサーのコイルを流れる電流と、当該磁気センサーの磁気測定素子において測定される特性値（抵抗など）との関係をあらかじめ把握しておくことにより、磁気センサーの磁気測定素子の特性値の変化を測定結果からコイル電流の変化を導き出すことができる。そして、被測定電流の変化に応じてコイル電流が変化するような回路を形成することにより、本実施形態に係る磁気センサーを、電流センサーの検出部として機能させることができる。
【００６７】
上記回路の具体的な構成は限定されない。本実施形態に係る磁気センサーのコイルを被測定電流が流れてもよい。このとき、本実施形態に係る磁気センサーのコイルの双方を被測定電流が流れてもよいし、一方のみを流れてもよい。本実施形態に係る磁気センサーのコイルが被測定電流による誘導磁界を相殺するキャンセル磁界を発生するフィードバックコイルであってもよい。フィードバックコイルである場合には、本実施形態に係る磁気センサーの磁気測定素子の磁界感度軸で測定される磁場が実質的にゼロになるときにフィードバックコイルに流れる電流値に基づいて、被測定電流の値が導出されることになる。
【００６８】
本実施形態に係る電流センサーが備える磁気センサーは１つであってもよいし、複数であってもよい。本実施形態に係る電流センサーが複数の磁気センサーを備える場合には、これらの磁気センサーは、被測定電流の測定について独立していてもよいし、複数の磁気センサーを備えるブリッジ回路により被測定電流を測定してもよい。
【００６９】
本発明の一実施形態に係る電流センサーの構成の一例として、図１５に示されるような磁気比例式電流センサーが挙げられる。磁気比例式電流センサー２０は、被測定電流が流れる電流線２１、電流線２１による誘導磁界を検知可能な位置に配置されたブリッジ回路３０およびブリッジ回路３０から出力される電圧を入力とするオペアンプ２３を備える。
【００７０】
電流線２１の一部はコイル２２を構成し、このコイル２２は、本発明の一実施形態に係る磁気センサーの第一のコイル１１および第二のコイル１２からなる。
【００７１】
図１６に示されるように、ブリッジ回路３０は、４つの抵抗を有し、それらのうち、本発明の一実施形態に係る磁気センサーの一方の磁気測定素子１３１と抵抗３１とは直接に接続され、本発明の一実施形態に係る磁気センサーの他方の磁気測定素子１３２と抵抗３２とは直接に接続されている。図１６に示されるように、磁気測定素子１３１と抵抗３２とは入力端子（Ｖｄｄ）に接続されており、磁気測定素子１３２と抵抗３１とはグランド端子（ＧＮＤ）に接続されている。そして、磁気測定素子１３１と抵抗３１との間に出力端子（Ｖ１）が接続され、磁気測定素子１３２と抵抗３２との間に出力端子（Ｖ２）が接続されている。
【００７２】
オペアンプ２３は、ブリッジ回路３０からの２つの出力（Ｖ１，Ｖ２）からの電圧を入力として、これらの電圧の差を出力する。この出力のグランド端子（ＧＮＤ）に対する電圧が、磁気比例式電流センサー２０の出力電圧Ｖｏｕｔとなる。
【００７３】
このように、磁気比例式電流センサー２０は、被測定電流による誘導磁界を磁気測定素子１３１，１３２が直接検出することにより、被測定電流に相関性を有する出力Ｖｏｕｔを出力する方式の電流センサーである。
【００７４】
本発明の一実施形態に係る電流センサーの構成の他の一例として、図１７に示されるような磁気平衡式電流センサーが挙げられる。磁気平衡式電流センサー４０は、被測定電流が流れる電流線４１、電流線４１を流れる電流による誘導磁界およびフィードバックコイル４２を流れる電流による誘導磁界を検知可能な位置に配置されたブリッジ回路３０およびブリッジ回路３０から出力される電圧を入力とするオペアンプ４３を備える。
【００７５】
磁気平衡式電流センサー４０では、電流線４１の一部は特にコイルを構成している必要はなく、電流線４１を流れる電流による誘導磁界をブリッジ回路３０が検出できる限り、ブリッジ回路３０と電流線４１との位置関係は限定されない。ブリッジ回路３０が備える磁気測定素子１３１，１３２に印加される磁界が等しくなるように配置されることが好ましい。
【００７６】
ブリッジ回路３０の構成は、図１６に示される構成であるから説明を省略する。
【００７７】
フィードバックコイル４２は、本発明の一実施形態に係る磁気センサーの第一のコイル１１および第二のコイル１２からなる。フィードバックコイル４２の一端はオペアンプ４３の出力に接続され、フィードバックコイル４２を流れる電流はオペアンプ４３により制御されている。フィードバックコイル４２の他端は抵抗４４を介して接地され、抵抗４４とフィードバックコイル４２との間のグランド端子（ＧＮＤ）に対する電位が出力電圧Ｖｏｕｔとなる。
【００７８】
オペアンプ４３は、ブリッジ回路３０の２つの出力（Ｖ１，Ｖ２）からの電圧を入力として、フィードバックコイル４２を流れる電流による誘導磁界と被測定電流による誘導磁界とが相殺して、ブリッジ回路の２つの出力（Ｖ１，Ｖ２）からの電圧が等しくなるように、フィードバックコイル４２に対して出力する電圧を制御する。
【００７９】
このように、磁気比例式電流センサー２０は、被測定電流による誘導磁界をキャンセルするように誘導磁界を生じさせるフィードバックコイル４２の電流値を、磁気測定素子１３１，１３２の検出値に基づいて制御することにより、被測定電流に相関性を有する出力Ｖｏｕｔを出力する方式の電流センサーである。
【産業上の利用可能性】
【００８０】
本発明の磁気センサーは電流センサーの検出部として好適であり、本発明の磁気センサーを備える電流センサーは、ハイブリッド自動車、電気自動車などに用いられるモーター兼発電機の電流を計測する機器として好適である。
【符号の説明】
【００８１】
１０…磁気センサー
１１…第一のコイル
Ｐ１…第一の平面
１１１，１１２，１１３…第一の複数線部が備える部分コイル線
１１Ａ…第一の平面Ｐ１における第一の複数線部が形成された領域
１２…第二のコイル
Ｐ２…第二の平面
１２Ａ…第二の平面Ｐ２における第二の複数線部が形成された領域
１２１，１２２，１２３…第二の複数線部が備える部分コイル線
１３１，１３２…磁気測定素子
Ｐ３…磁界感度面
１０１，１０２Ａ，１０２Ｂ，１０３…コイルの端子
２０…磁気比例式電流センサー
２１…電流線
２２…コイル
２３…オペアンプ
３０…ブリッジ回路
３１，３２…抵抗
４０…磁気平衡式電流センサー
４１…電流線
４２…コイル
４３…オペアンプ
４４…抵抗
【図１】
2016021260.tif 000003
【図２】
2016021260.tif 000004
【図３】
2016021260.tif 000005
【図４】
2016021260.tif 000006
【図５】
2016021260.tif 000007
【図６】
2016021260.tif 000008
【図７】
2016021260.tif 000009
【図８】
2016021260.tif 000010
【図９】
2016021260.tif 000011
【図１０】
2016021260.tif 000012
【図１１】
2016021260.tif 000013
【図１２】
2016021260.tif 000014
【図１３】
2016021260.tif 000015
【図１４】
2016021260.tif 000016
【図１５】
2016021260.tif 000017
【図１６】
2016021260.tif 000018
【図１７】
2016021260.tif 000019
【国際調査報告】
2016021260.tif 000020
2016021260.tif 000021
2016021260.tif 000022
2016021260.tif 000023